(57)【特許請求の範囲】
【請求項１】
鉄心の周囲に一次コイルおよび二次コイルを巻き付け、前記一次コイルの一端に接続された端末板に前記二次コイルの一端を接続した内燃機関用点火コイルにおいて、
前記端末板に、前記一次コイルの軸方向へ凹む凹部を設け、
前記二次コイルの端末に接続した端末ピンを、前記一次コイルの軸方向へ移動させ、自身の弾性によって前記端末板の凹部へ圧接させた、
ことを特徴とする内燃機関用点火コイル。
【発明の詳細な説明】
【０００１】
【発明の属する技術分野】
この発明は、例えば自動車のエンジンなどの点火プラグに、火花放電を発生させるための高電圧を供給する内燃機関用点火コイルに関するものである。
【０００２】
【従来の技術】
図２は内燃機関用点火コイルを示す断面図、図３は従来の内燃機関用点火コイルにおける一次コイルの一端と二次コイルの一端との接続を説明するための図で、図３（ａ）は一次コイルの一端と二次コイルの一端との接続前の側面図、図３（ｂ）は一次コイルの一端と二次コイルの一端とを接続した状態の側面図、図３（ｃ）は図３（ｂ）におけるＰ部分のＸ方向からの拡大図である。
【０００３】
これらの図において、１は内燃機関用点火コイルを示し、絶縁ケース１１と、この絶縁ケース１１の第１収容凹部１２内に収容された点火コイル部２１と、絶縁ケース１１の第２収容凹部１４内に収容され、点火コイル部２１の一次コイル２６への電力を制御するパワースイッチとしてのパワートランジスタ３１と、絶縁ケース１１に取り付けられ、パワートランジスタ３１に接続された複数の低圧端子（一次端子）４１と、絶縁ケース１１の底に設けた高圧端子取付孔１３に取り付けられ、点火コイル部２１の二次コイル２８に接続された高圧端子（二次端子）４２と、絶縁ケース１１の第２収容凹部１４内に充填され、パワートランジスタ３１にかかる応力を吸収する、例えばシリコーン、合成ゴムなどの緩衝用樹脂５１と、第２収容凹部１４を除いた絶縁ケース１１内に充填され、各部品の相互の高電圧絶縁を行う絶縁材である熱硬化性樹脂５２とで構成されている。
なお、低圧端子４１は、絶縁ケース１１の成形時に、インサートされる。
【０００４】
上記した絶縁ケース１１には、点火コイル部２１を収容する第１収容凹部１２と、この第１収容凹部１２の底に位置し、高圧端子４２が、例えば圧入されることによって取り付けられる高圧端子取付孔１３と、パワートランジスタ３１を収容する第２収容凹部１４とが設けられている。
【０００５】
また、点火コイル部２１は、センタ鉄心２２と、このセンタ鉄心２２とともに閉磁路を形成する環状のサイド鉄心２３と、センタ鉄心２２が挿通される一次コイルボビン２４と、この一次コイルボビン２４の端に取り付けられた端末板２５Ａ，２５Ｂと、一次コイルボビン２４の外周に巻き付けられ、一端が端末板２５Ａに接続されるとともに、他端が端末板２５Ｂに接続された一次コイル２６と、この一次コイル２６の外周に配置される二次コイルボビン２７と、この二次コイルボビン２７の外周に巻き付けられた二次コイル２８と、端末板２５Ａに対応する二次コイルボビン２７の端に配設され、二次コイル２８の一端に接続された端末ピン２９Ａと、二次コイルボビン２７の端に配設され、二次コイル２８の他端に接続されるとともに、二次コイル２８と高圧端子４２とを接続する端末ピン２９Ｂとで構成されている。
そして、端末板２５Ａの端末ピン２９Ａ側には、図３（ｃ）に示すように、端末ピン２９Ａを圧入する圧入溝２５ａが設けられている。
【０００６】
上記のように構成される従来の内燃機関用点火コイル１において、一次コイル２６の一端と、二次コイル２８の一端との電気的な接続は、図３に示すように、一次コイル２６を巻き付けた一次コイルボビン２４を、二次コイル２８を巻き付けた二次コイルボビン２７へ挿通するとともに、二次コイル２８の一端に接続された端末ピン２９Ａを端末板２５Ａの圧入溝２５ａへ圧入することにより、行われる。
【０００７】
【発明が解決しようとする課題】
従来の内燃機関用点火コイル１において、一次コイル２６の一端と二次コイル２８の一端との接続状態を確実にするためには、端末ピン２９Ａの線径、および端末ピン２９Ａを圧入する圧入溝２５ａの幅の寸法精度を上げる必要がある。
しかし、圧入溝２５ａの幅の寸法精度を上げるためには、金型で現物の仕上がりを調整する必要があるため、この調整に手間がかかり、コストが高くなる。
【０００８】
この発明は、上記したような不都合を解消するためになされたもので、一次コイルの一端と二次コイルの一端との接続を簡単な構造で確実に行うことのできる内燃機関用点火コイルを提供するものである。
【０００９】
【課題を解決するための手段】
この発明は、鉄心の周囲に一次コイルおよび二次コイルを巻き付け、一次コイルの一端に接続された端末板に二次コイルの一端を接続した内燃機関用点火コイルにおいて、端末板に、一次コイルの軸方向へ凹む凹部を設け、二次コイルの端末に接続した端末ピンを、一次コイルの軸方向へ移動させ、自身の弾性によって端末板の凹部へ圧接させたものである。
【００１０】
【発明の実施の形態】
以下、この発明の実施形態を図に基づいて説明する。
図１はこの発明の一実施形態である内燃機関用点火コイルにおける一次コイルの一端と二次コイルの一端との接続を説明するための図で、図１（ａ）は一次コイルの一端と二次コイルの一端との接続前の側面図、図１（ｂ）は一次コイルの一端と二次コイルの一端とを接続した状態の側面図、図１（ｃ）は図１（ｂ）におけるＱ部分のＹ方向からの拡大図であり、図２および図３と同一または相当部分に同一符号を付して説明を省略する。
【００１１】
図１において、２５ｂは凹部を示し、端末板２５Ａの端末ピン２９Ａに対応する部分に設けられている。
なお、端末ピン２９Ａは、弾性を有する線材とされている。
【００１２】
上記のように構成されるこの発明の一実施形態の内燃機関用点火コイル１において、一次コイル２６の一端と、二次コイル２８の一端との電気的な接続は、図１に示すように、一次コイル２６を巻き付けた一次コイルボビン２４を、二次コイル２８を巻き付けた二次コイルボビン２７へ挿通するとともに、二次コイル２８の一端に接続された端末ピン２９Ａを端末板２５Ａの凹部２５ｂへ、図１（ｂ）に示すように、端末ピン２９Ａの弾性によって圧接させることにより、行われる。
【００１３】
【発明の効果】
以上説明したように、この発明によれば、一次コイルの一端が接続された端末板に凹部を設け、二次コイルの端末に接続した端末ピンを、自身の弾性によって端末板の凹部へ圧接させる構成にしたので、一次コイルの一端と二次コイルの一端とを簡単な構成で確実に接続させることができる。
また、端末ピンは端末板の凹部へ自身の弾性によって圧接しているので、一次コイルの一端と二次コイルの一端との接続の信頼性を確保することができる。
【図面の簡単な説明】
【図１】（ａ）はこの発明の一実施形態である内燃機関用点火コイルにおける一次コイルの一端と二次コイルの一端との接続前の側面図、（ｂ）はこの発明の一実施形態である内燃機関用点火コイルにおける一次コイルの一端と二次コイルの一端とを接続した状態の側面図、（ｃ）は図１（ｂ）におけるＱ部分のＹ方向からの拡大図である。
【図２】内燃機関用点火コイルを示す断面図である。
【図３】（ａ）は従来の内燃機関用点火コイルにおける一次コイルの一端と二次コイルの一端との接続前の側面図、（ｂ）は従来の内燃機関用点火コイルにおける一次コイルの一端と二次コイルの一端とを接続した状態の側面図、（ｃ）は図３（ｂ）におけるＰ部分のＸ方向からの拡大図である。
【符号の説明】
１      内燃機関用点火コイル
１１    絶縁ケース
１２    第１収容凹部
１３    高圧端子取付孔
１４    第２収容凹部
２１    点火コイル部
２２    センタ鉄心
２３    サイド鉄心
２４    一次コイルボビン
２５Ａ  端末板
２５ａ  圧入溝
２５ｂ  凹部
２５Ｂ  端末板
２６    一次コイル
２７    二次コイルボビン
２８    二次コイル
２９Ａ  端末ピン
２９Ｂ  端末ピン
３１    パワートランジスタ（パワースイッチ）
４１    低圧端子（一次端子）
４２    高圧端子（二次端子）
５１    緩衝用樹脂
５２    熱硬化性樹脂
【図１】
0003631707.tif 000002
【図２】
0003631707.tif 000003
【図３】
0003631707.tif 000004